(57)【要約】      （修正有）【課題】発光素子の点灯制御装置において、電源投入時における保護素子への突入電流が生じるのを抑制する。【解決手段】点灯制御装置１４は、発光素子３１と当該発光素子３１に対して並列接続された保護素子３２とを含む光源２の点灯制御を行うための装置であって、電源に繋がる電流経路に一端が接続された誘導性素子２１と、誘導性素子２１の他端と基準電位端の間に接続されたスイッチング素子２３と、誘導性素子２１の他端と基準電位端の間に接続された容量性素子２４と、一端が電源に繋がる電流経路及び発光素子３１のカソードに接続され、他端が容量性素子２４と発光素子３１のアノードに接続されたバイパス用ダイオード２５と、を含む、点灯制御装置１４である。【選択図】図２
2019145339.tif 000002
【特許請求の範囲】
【請求項１】
発光素子と当該発光素子に対して並列接続された保護素子とを含む光源の点灯制御を行うための装置であって、
電源に繋がる電流経路に一端が接続された誘導性素子と、
前記誘導性素子の他端と基準電位端の間に接続されたスイッチング素子と、
前記誘導性素子の他端と前記基準電位端の間に接続された容量性素子と、
一端が前記電源に繋がる電流経路及び前記発光素子のカソードに接続され、他端が前記容量性素子と前記発光素子のアノードに接続されたバイパス用ダイオードと、
を含む、点灯制御装置。
【請求項２】
前記保護素子は、ツェナーダイオードであり、当該ツェナーダイオードは、アノードが前記発光素子のカソードと接続し、カソードが前記発光素子のアノードと接続するように並列接続される、
請求項１に記載の点灯制御装置。
【請求項３】
請求項１又は２に記載の点灯制御装置と、当該点灯制御装置によって制御される光源とを含む、照明装置。
【発明の詳細な説明】
【技術分野】
【０００１】
本発明は、ＬＥＤなどの発光素子の点灯状態を制御するための技術に関する。
【背景技術】
【０００２】
近年、車両用灯具など種々の照明装置においてＬＥＤなどの発光素子が広く用いられている。発光素子の点灯状態の制御には、例えばＤＣ−ＤＣコンバータを含んだ昇降圧回路が用いられる（例えば、特許文献１参照）。また、過電流からの保護のため、発光素子に対して並列に保護素子（例えばツェナーダイオード）が接続される場合もある。
【０００３】
ところで、昇降圧回路を用いて発光素子の点灯状態を制御する場合に、電源投入時に発光素子と並列接続された保護素子に対して過電流が流れ、保護素子を破損する場合がある。これは、電源投入時に昇降圧回路の出力側に接続されるコンデンサの電荷がチャージされていないため、電源から保護素子を伝ってコンデンサへ至る電流経路が形成され、突入電流が生じてしまうことに起因する。
【先行技術文献】
【特許文献】
【０００４】
【特許文献１】特開２０１３−１０９９３９号公報
【発明の概要】
【発明が解決しようとする課題】
【０００５】
本発明に係る具体的態様は、発光素子の点灯制御装置において、電源投入時における保護素子への突入電流が生じるのを抑制可能な技術を提供することを目的の１つとする。
【課題を解決するための手段】
【０００６】
［１］本発明に係る一態様の点灯制御装置は、（ａ）発光素子と当該発光素子に対して並列接続された保護素子とを含む光源の点灯制御を行うための装置であって、（ｂ）電源に繋がる電流経路に一端が接続された誘導性素子と、（ｃ）前記誘導性素子の他端と基準電位端の間に接続されたスイッチング素子と、（ｄ）前記誘導性素子の他端と前記基準電位端の間に接続された容量性素子と、（ｅ）一端が前記電源に繋がる電流経路及び前記発光素子のカソードに接続され、他端が前記容量性素子と前記発光素子のアノードに接続されたバイパス用ダイオードと、を含む、点灯制御装置である。
［２］本発明に係る一態様の照明装置は、上記の点灯制御装置と、当該点灯制御装置によって制御される光源とを含む、照明装置である。
【０００７】
なお、本明細書において「接続」とは、ある回路要素と別の回路要素とが直接的に接続されている場合のほか、他の要素を介在させて間接的に接続されている場合も含む概念である。
【０００８】
上記構成によれば、発光素子の点灯制御装置において、電源投入時における保護素子への突入電流が生じるのを抑制することができる。
【図面の簡単な説明】
【０００９】
【図１】図１は、一実施形態の車両用灯具の全体構成を示すブロック図である。
【図２】図２は、一実施形態の点灯制御回路の詳細構成を示す回路図である。
【図３】図２は、比較例の点灯制御回路の詳細構成を示す回路図である。
【発明を実施するための形態】
【００１０】
図１は、一実施形態の車両用灯具の全体構成を示すブロック図である。図示の車両用灯具は、バッテリ３から電力供給を受けて光照射を行うものであり、制御基板１と光源２を含んで構成されている。バッテリ３と制御基板１の間にはリレー４が接続されている。光源２は、１つ以上の発光素子（例えばＬＥＤ）を含んで構成されている。
【００１１】
制御基板１は、入力コネクタ１１、逆接保護回路１２、入力フィルタ１３、点灯制御回路（点灯制御装置）１４および電流検出回路１５を含んで構成されている。入力コネクタ１１は、制御基板１１とバッテリ３を接続するためのコネクタである。逆接保護回路１２は、バッテリ３と点灯制御回路１４の間に接続されており、バッテリ３に対して点灯制御回路１４が逆接続された際に点灯制御回路１４を保護するために電圧を遮断するものである。入力フィルタ１３は、雑音成分等が点灯制御回路１４に入力されないようにするフィルタ回路である。
【００１２】
点灯制御回路１４は、バッテリ３から電力供給を受けて光源２に含まれる発光素子の点灯状態を制御するためのものであり、ＤＣ−ＤＣコンバータ等を含んで構成されている。電流検出回路１５は、光源２の発光素子に流れる電流を検出する。点灯制御回路１４は、この電流検出回路１５により検出される電流の大きさが一定となるように点灯制御を行う。
【００１３】
図２は、一実施形態の点灯制御回路の詳細構成を示す回路図である。なお、説明を簡素化するために電流検出部１５については図示を省略している。図示の点灯制御回路１４は、コイル（誘導性素子）２１、ダイオード２２、トランジスタ２３、コンデンサ（容量性素子）２４、バイパス用ダイオード２５を含んで構成されている。これらのうち、少なくともコイル２１、トランジスタ２３、コンデンサ２４を含んで昇圧回路（ＤＣ−ＤＣコンバータ）が構成されている。
【００１４】
コイル２１は、一端側がバッテリ３に繋がる電流経路に接続され、他端側がダイオード２２のアノードおよびトランジスタ２３のドレインと接続されている。ダイオード２２は、アノード側がコイル２１の他端およびトランジスタ２３のドレインと接続され、カソード側がコンデンサ２４の一端側および光源２の発光素子３１のアノード側と接続されている。
【００１５】
トランジスタ２３は、ゲートが図示しない制御部と接続され、ドレインがコイル２１とダイオード２２の中間接続点と接続されており、ソースが基準電位端（接地端）と接続されている。ゲートには制御部から制御信号が与えられる。なお、ここではスイッチング素子の一例として電界効果型トランジスタを用いているが、バイポーラトランジスタを用いてもよい。
【００１６】
コンデンサ２４は、一端側がダイオード２２と光源２の発光素子３１の中間接続点と接続され、他端側が基準電位端と接続されている。バイパス用ダイオード２５は、一端側がバッテリ３に繋がる電流経路に接続され、他端側がダイオード２２の他端側およびコンデンサ２４の一端側と接続されている。
【００１７】
光源２は、発光素子３１と、この発光素子３１に対して並列接続されたツェナーダイオード（保護素子）３２を含んで構成されている。発光素子３１は、アノード側が点灯制御回路１４と接続され、カソード側がバッテリ３に繋がる電流経路に接続されている。
【００１８】
ツェナーダイオード３２は、アノード側が発光素子３１のカソード側と接続され、カソード側が発光素子３１のアノード側と接続されている。別言すると、ツェナーダイオード３２は、アノード側がバッテリ３に繋がる電流経路に接続され、カソード側が点灯制御回路１４と接続されている。
【００１９】
このような点灯制御回路１４の電源投入時における電流の流れは図中に太い点線で示したような流れとなる。具体的には、バッテリ３に繋がる電流経路から流れる電流は、バイパス用ダイオード２５を通ってコンデンサ２４に至り、コンデンサ２４に電荷をチャージする。コンデンサ２４に電荷がチャージされることで、光源２のツェナーダイオード３２の両端の電位差がなくなるので、ツェナーダイオード３２に過電流が流れるのを防止することができる。
【００２０】
図３は、比較例の点灯制御回路の詳細構成を示す回路図である。上記の実施形態の点灯制御回路との違いはバイパス用ダイオード２５が含まれていないことである。このような比較例の点灯制御回路１４ａの電源投入時における電流の流れは図中に太い点線で示したような流れとなる。具体的には、バッテリ３に繋がる電流経路から流れる電流は、光源２のツェナーダイオード３２を通ってコンデンサ２４に至り、コンデンサ２４に電荷をチャージする。コンデンサ２４に電荷がチャージされるまでの間、ツェナーダイオード３２には瞬間的に過電流が流れることになり、破損等の可能性が高まる。
【００２１】
以上のような実施形態によれば、発光素子の点灯制御装置において、電源投入時における保護素子（ツェナーダイオード）への突入電流が生じるのを抑制することができる。
【００２２】
なお、本発明は上記した実施形態の内容に限定されるものではなく、本発明の要旨の範囲内において種々に変形して実施をすることが可能である。例えば、上記した実施形態で示した点灯制御回路における昇圧回路の構成は一例であり、これに限定されない。また、光源に含まれる発光素子は複数であってもよい。また、照明装置の一例として車両用灯具を示していたが照明装置の用途はこれに限定されない。
【符号の説明】
【００２３】
１：制御基板
２：光源
３：バッテリ
１４：点灯制御回路
２１：コイル
２２：ダイオード
２３：トランジスタ
２４：コンデンサ
２５：バイパス用ダイオード
３１：発光素子
３２：ツェナーダイオード
【図１】
2019145339.tif 000003
【図２】
2019145339.tif 000004
【図３】
2019145339.tif 000005